(57)【要約】【課題】  支持板の周縁部分を切取線に沿って切り取ることで切取線に凹部を形成させる際に、切り残しが生じたり、支持板が変形したりしない状態で行うことができる。【解決手段】  塵埃用導入口１Ａを備えた紙製の支持板１と、導入された塵埃を導入口１Ａを通して収納するための袋本体２とを備え、支持板１にそれの周縁部分を切り取るためのほぼ一直線状の切取線９を形成し、切取線９の途中部分に導入口側へ突出する凸部１０を形成し、切取線９を介して支持板１の周縁部分を切り取ることにより凸部１０を一体的に取り去って、電気掃除機の吸引口に係止保持させるための凹部を切欠き形成し、周縁部分の一部を切り取る前の状態では凸部１０と凹部との間がほぼ切り離された非連結状態に構成した。【選択図】    図１
2004249137.tif 000002
【特許請求の範囲】
【請求項１】
塵埃を導入する導入口をほぼ中央部に備えた外形がほぼ矩形状の紙製の支持板と、導入された塵埃を前記導入口を通して収納するための袋本体とを備え、前記支持板の周縁部分を切り取るために該支持板の対向辺間に渡ってほぼ一直線状の切取線を形成し、前記切取線の途中部分に導入口側へ突出する凸部を形成し、前記切取線を介して前記支持板の周縁部分を切り取ることにより前記凸部を一体的に取り去って、電気掃除機の吸引口に係止保持させるための凹部を切欠き形成するように構成し、前記周縁部分を切り取る前の状態では前記凸部と前記凹部との間がほぼ切り離された非連結状態に構成したことを特徴とする電気掃除機用集塵袋。
【請求項２】
前記凸部が前記切取線の長手方向２箇所に形成されてなる請求項１記載の電気掃除機用集塵袋。
【請求項３】
塵埃を導入する導入口をほぼ中央部に備えた外形がほぼ矩形状の紙製の支持板と、導入された塵埃を前記導入口を通して収納するための袋本体とを備え、前記支持板の周縁部分を切り取るために該支持板の対向辺間に渡ってほぼ一直線状の切取線を形成し、前記切取線の途中部分に導入口側へ突出する貫通孔を形成し、前記切取線を介して前記支持板の周縁部分を切り取ることにより電気掃除機の吸引口に係止保持させるための凹部を切欠き形成するように構成したことを特徴とする電気掃除機用集塵袋。
【発明の詳細な説明】
【技術分野】
【０００１】
本発明は、塵埃を導入する導入口をほぼ中央部に備えた外形がほぼ矩形状の紙製の支持板と、導入された塵埃を前記導入口を通して収納するための袋本体とからなる電気掃除機用集塵袋に関する。
【背景技術】
【０００２】
上記のような電気掃除機用集塵袋は、前記支持板により掃除機に取り付けられるが、掃除機の機種によって異なる取り付け部の構造に応じてその形状、大きさを変更することができるように支持板にミシン目等からなる切取線を形成してあり、その切取線に沿って支持板の周縁部分の一部を切り取ることにより、取り付け部の構造が異なる掃除機であっても、確実に取り付けることができるようにしている（例えば、特許文献１参照）。
【特許文献１】登録実用新案第３００７８７０号公報
【０００３】
具体的には、図６（ａ），（ｂ），（ｃ）に示すように、支持板３１の周縁部分を切り取るために支持板３１の上下の対向辺間に渡ってほぼ一直線状の切取線３２を形成し、その切取線３２の途中部分に支持板３１のほぼ中央部に形成された導入口３１Ａ側へ円弧状（ほぼＵの字形状）に突出する一対の小さな凸部３３，３３を形成し、前記切取線３２を介して支持板３１の周縁部分の一部を切り取ることにより凸部３３，３３を周縁部分と一体的に取り去って、電気掃除機の吸引口に係止保持させるための凹部３４，３４を切欠き形成する構成としてある。前記切取線３２は、例えば長短２種類の切断部３２Ｂ，３２Ａと、短寸法の上下端にそれぞれ位置する切断部３２Ａと前記連結部３５との間及び連結部３５と内側の切断部３２Ａとの間に形成された一対の湾曲切断部３２Ｃ，３２Ｃとからなっており、前記支持板３１の周縁部分の一部を切り取る前の状態では凸部３３又は３３と凹部３４又は３４との間が一部分で連結部３５又は３５を介して連結されていた。
【発明の開示】
【発明が解決しようとする課題】
【０００４】
上記構成によれば、凸部３３が支持板３１に対して一部分でのみ連結部３５にて連結されている構成であっても、支持板３１が多数の薄い紙を積層した比較的厚肉の紙（厚紙）にて構成されているため、連結部３５が支持板３１の厚み方向全域に渡って連結されていると、ほぼ直線状の切取線３２に沿って切り取る際において小さな凸部３３が前記切取線３２の延長線上で腰折れ現象を起こしやすく、凸部３３に力が伝わりにくくスムーズに連結部３５を介して凸部３３を取り去ることができない。その結果、凸部３３を取り去ることで形成された凹部３４に連結部３５の一部分３１Ａ（図６（ｃ）参照）が残ってしまったり、無理矢理切り取ることにより凹部３４が変形してしまうことがあり、例えば一部分３１Ａが残った場合、電気掃除機の吸引口に取り付けた場合に支持板３１が反ってしまい、吸引口と支持板３１との間に隙間が出来てしまったり、支持板３１を電気掃除機の吸引口に確実に係止保持させることができない場合があり、改善の余地があった。
【０００５】
本発明が前述の状況に鑑み、解決しようとするところは、支持板の周縁部分を切取線に沿って切り取ることで支持板の大きさを変化させるとともに、該切取線に凹部を形成させる際に、切り残しが生じたり、支持板が変形したりしない状態で行うことができる電気掃除機用集塵袋を提供する点にある。
【課題を解決するための手段】
【０００６】
本発明は、前述の課題解決のために、塵埃を導入する導入口をほぼ中央部に備えた外形がほぼ矩形状の紙製の支持板と、導入された塵埃を前記導入口を通して収納するための袋本体とを備え、前記支持板の周縁部分を切り取るために該支持板の対向辺間に渡ってほぼ一直線状の切取線を形成し、前記切取線の途中部分に導入口側へ突出する凸部を形成し、前記切取線を介して前記支持板の周縁部分を切り取ることにより前記凸部を一体的に取り去って、電気掃除機の吸引口に係止保持させるための凹部を切欠き形成するように構成し、前記周縁部分を切り取る前の状態では前記凸部と前記凹部との間がほぼ切り離された非連結状態に構成している。又、塵埃を導入する導入口をほぼ中央部に備えた外形がほぼ矩形状の紙製の支持板と、導入された塵埃を前記導入口を通して収納するための袋本体とを備え、前記支持板の周縁部分を切り取るために該支持板の対向辺間に渡ってほぼ一直線状の切取線を形成し、前記切取線の途中部分に導入口側へ突出する貫通孔を形成し、前記切取線を介して前記支持板の周縁部分を切り取ることにより電気掃除機の吸引口に係止保持させるための凹部を切欠き形成するように構成してもよい。
従って、支持板の一部を切り取る前の状態では凸部と凹部との間がほぼ切り離された非連結状態に構成されているから、切取線を介して支持板の周縁部分の一部を切り取ることにより凸部を前記周縁部分と一体的に取り去って、電気掃除機の吸引口に係止保持させるための凹部を切り残しが全く発生することなく、設計通りの形状に切欠き形成することができる。又、支持板の周縁部分を切り取るときに支持板の凹部の変形を招くこともない。尚、本発明で前記凸部と凹部との間がほぼ切り離された非連結状態に構成されているという意味は、完全に切り離された状態は勿論のこと、支持板の厚み方向における一部分の紙層のみで連結されている状態、つまり支持板を構成する多数の薄い紙層のうちの一部の薄い紙層のみで連結されていて完全には切り離されていない一部連結状態を含むものである。
前記凸部のない状態、つまり切取線の途中部分に導入口側へ突出する貫通孔を形成している場合においても、前記と同様に支持板の周縁部分を切り取ることにより電気掃除機の吸引口に係止保持させるための凹部を切り残しが全く発生することなく、設計通りの形状に切欠き形成することができる。又、支持板の周縁部分を切り取るときに支持板の凹部の変形を招くこともない。
電気掃除機用集塵袋は、必要に応じて前記支持板の周縁部分を切り取った後、電気掃除機の吸引口に支持板の導入口を連通状態にした状態で支持板の凹部を吸引口付近の係止部に係止することにより、支持板を吸引口に密着させた状態でセットすることができる。
【０００７】
前記凸部を前記切取線の長手方向２箇所に形成することによって、１箇所にのみ形成したものに比べて、凹部による係止保持力を増大させることができる。
【発明の効果】
【０００８】
支持板の一部を切り取る前の状態では凸部と凹部との間がほぼ切り離された非連結状態に構成されているから、切取線を介して支持板の周縁部分を切り取ることにより凸部を一体的に取り去って、電気掃除機の吸引口に係止保持させるための凹部を切り残しが全く発生することがないと共に支持板の変形もなく、設計通りの形状に切欠き形成することができる電気掃除機用集塵袋を提供することができる。
又、請求項３のように凸部のない状態、つまり切取線の途中部分に導入口側へ突出する貫通孔を形成している場合においても、前記と同様に支持板の周縁部分を切り取ることにより電気掃除機の吸引口に係止保持させるための凹部を切り残しが全く発生することがないと共に支持板の変形もなく、設計通りの形状に切欠き形成することができる。
従って、支持板を電気掃除機の吸引口に係止保持させて装着する際に、凹部の切り残しにより装着した支持板が変形することがなく、吸引口に密着した状態で確実に取り付けることができる。又、凹部の一部が余分に切り取られるようなこともなく、前記のように支持板を吸引口に確実に係止保持させて装着することができる。
【０００９】
前記凸部を前記切取線の長手方向２箇所に形成することによって、１箇所にのみ形成したものに比べて、凹部による係止保持力を増大させることができ、電気掃除機用集塵袋を電気掃除機本体に確実に装着することができる。
【発明を実施するための最良の形態】
【００１０】
図１（ａ），（ｂ）に、電気掃除機に取り付けられて使用される電気掃除機用集塵袋（以下集塵袋という）を示している。この集塵袋は、塵埃を導入する円形の導入口１Ａをほぼ中央部に備えた外形がほぼ矩形状の紙製の支持板１と、導入された塵埃を前記導入口１Ａに連通し、かつ、該導入口１Ａよりも小径で円形の開口部２Ａを通して収納する複数枚の紙を重ねてなる横長状の袋本体２とからなっている。そして、前記支持板１を前記袋本体２の表側に、支持板１の開口部１Ａと袋本体２の導入口２Ａとが合致した状態で接着剤を用いて貼着している。前記袋本体２は、紙製の他、不織布等で構成することもできる。図１（ａ）に示すＳは、前記支持板１の表面のうちの導入口１Ａ付近に設けられたパッキンである。
【００１１】
前記袋本体２には、それの長手方向に沿う水平方向の折り目３が形成されており、導入口２Ａ方向において折り畳むことができるようにしている。又、前記袋本体２には、それの長手方向２箇所、つまり支持板１の両側２箇所のそれぞれには、縦方向の折り目４が形成されており、袋本体２の長手方向両端部それぞれをそれの裏側が袋本体２の長手方向裏側に接近する側に折り返すことができるようにしているが、これら折り目４は無くてもよい。前記折り目３，４の数及び形成箇所は、図に示されるものに限定されるものではない。図２に集塵袋が使用により袋状に拡張した状態を示している。
【００１２】
前記支持板１を、図１（ａ）、図２及び図３（ａ），（ｂ）に基づいて詳述する。尚、この図１（ａ）を正面図とし、支持板１の上下方向Ａ及び左右方向Ｂとして説明する。
左側の上下端それぞれには、鋸刃形状の波形部５が形成され、それら波形部５の上下の谷部分６，６、７，７のうちの左側に位置する谷部分６，６間に渡ってほぼ一直線状に長短２種類の切断部８Ｂ，８Ａが所定間隔を置いて形成されてなる切取線としてのミシン目８を備えると共に、右側に位置する谷部分７，７間に渡ってほぼ一直線状に所定間隔を置いて形成された長短２種類の切断部９Ｂ，９Ａと前記上下端寄りの２箇所に位置する短い切断部９Ａ，９Ａ間に形成され、かつ、導入口１Ａ側にほぼＵの字形状に突出する凸部１０を形成するための切断部９Ｃが形成されてなる切取線としてのミシン目９を備えている。従って、導入口１Ａから離れる側に位置する外側のミシン目８を介して支持板１の周縁部分１１を切り取ることができ、又、内側のミシン目９を介して前記周縁部分１１よりも大きな周縁部分１２を切り取ることができ、電気掃除機の機種に合わせて周縁部分１１又は１２を切り取ることで集塵袋を装着することができるようにしている。特に、前記周縁部分１２を切り取ることによって、図３（ｂ）に示すように２つの凹部１７，１７（図では上側の１個のみ図示している）を形成し、それら凹部１７，１７を掃除機本体側に支持板１を係止保持させることによって、装着することができるようにしている。前記電気掃除機によっては前記周縁部分１１又は１２を切り取らないで装着することができるものもある。ここでは、前記２本の切取線８，９を形成した場合を示したが、１本の切取線や３本以上の切取線を形成して実施することもできる。
【００１３】
図１（ａ）及び図２に示す１３は、右端部で上下方向ほぼ中央に切欠きを形成するためのミシン目であり、又、１４，１５は、下端部で、かつ、左右方向において導入口１Ａ付近に切欠きを形成するためのミシン目であり、又、１６は、上端部で、かつ、左右方向において導入口１Ａ付近に貫通孔を形成するためのミシン目であるが、これら位置及び大きさは各種掃除機の取付部の構造に応じて形成されており、適宜変更することができるし、一部又は全部を省略したり、他の形状のものを追加して実施することもできる。前記ミシン目は、一般的に針で開けられた点線状の小さな穴のことを指すが、長い穴であってもよく、穴の大きさや形状は自由に変更することができる。
【００１４】
図１〜図３では、凹部１７，１７を前記凸部１０，１０を切り離すことにより形成するように構成したが、図４（ａ），（ｂ）に示すように前記ミシン目９の途中部分に導入口１Ａ側へ突出する２個の貫通孔１８，１８を形成し、前記ミシン目９に沿って周縁部分１２を切り取ることによって、前記凹部１７，１７を形成するようにしてもよい。尚、図４に示す集塵袋における他の部分は、図１〜図３で示したものと同一であるため、同一の符号を付すと共に説明を省略する。
【００１５】
図１〜図３では、前記凸部１０と凹部１７とが切断部９Ｃにより完全に切り離された非連結状態に構成したが、図５に示すように、支持板１を構成する多数の薄い紙層１Ｂ，１Ｃ，１Ｄ，１Ｅ（図では４層であるが、何層で構成してもよい）のうちの裏面（表面でもよい）に位置する特定の薄い紙層１Ｅのみで連結する、つまり、最上部に位置する紙層１Ｂから最下部から２番目に位置する紙層１Ｄまで切り込みＫ，Ｋを入れることにより、完全には切り離されていない一部連結状態であってもよい。尚、図では、分かり易くするために薄い紙層１Ｂ，１Ｃ，１Ｄ，１Ｅの厚みを実際よりも厚く描いているが、実際には、容易に切り離すことができる薄さ、例えば１００μｍ以下である。
【図面の簡単な説明】
【００１６】
【図１】電気掃除機用集塵袋を示し、（ａ）はそれの正面図、（ｂ）はそれの平面図である。
【図２】電気掃除機用集塵袋が拡張した状態を示す斜視図である。
【図３】電気掃除機用集塵袋における支持板の切取線部分の要部を示し、（ａ）はそれの正面図、（ｂ）は支持板の周縁部分の一部を切り取って凹部が形成された状態の正面図である。
【図４】別の電気掃除機用集塵袋における支持板の切取線部分の要部を示し、（ａ）はそれの正面図、（ｂ）は（ａ）におけるＩ−Ｉ線断面図である。
【図５】凸部と凹部とが一枚の薄い紙層で連結されている状態を示す要部の縦断面図である。
【図６】従来の電気掃除機用集塵袋を示し、（ａ）はそれの正面図、（ｂ）は切取線部分の要部の正面図、（ｃ）は一部を切り取って凹部が形成された状態の正面図である。
【符号の説明】
【００１７】
１Ａ  導入口
１Ｂ〜１Ｅ  薄い紙層
２  袋本体
２Ａ  開口部
３，４  折り目
５  波形部
６，７  谷部分
８，９  ミシン目
８Ａ，８Ｂ，９Ａ，９Ｂ，９Ｃ  切断部
１０  凸部
１１，１２  周縁部分
１３，１４，１５，１６  ミシン目
１７  凹部
１８  貫通孔
３１  支持板
３１Ａ  導入口
３２  切取線
３３  凸部
３４  凹部
３５  連結部
Ｋ  切り込み
Ｓ  パッキン
【図１】
2004249137.tif 000003
【図２】
2004249137.tif 000004
【図３】
2004249137.tif 000005
【図４】
2004249137.tif 000006
【図５】
2004249137.tif 000007
【図６】
2004249137.tif 000008